(57)【要約】【課題】本構成を有しない場合と比較して、電源との切断が行われたことの監視負担を低減することができる電気装置、画像形成装置、及びプログラムを提供する。【解決手段】電気装置１６は、電源１８との接続・切断を切り換える切替器１２０と、電源１８からの電力を受け、切替器１２０の接続・切断を制御する制御部１２２と、この制御部１２２により電源１８を切断するように切替器１２０を制御した時から予め定められた時間が経過した場合、異常と判定する判定手段と、を有する。【選択図】図４
2013238685.tif 000002
【特許請求の範囲】
【請求項１】
電源との接続・切断を切り換える切替器と、
前記電源からの電力を受け、前記切替器の接続・切断を制御する制御手段と、
前記制御手段により前記電源を切断するように前記切替器を制御した時から予め定められた時間が経過した場合、異常と判定する判定手段と、
を有する電気装置。
【請求項２】
前記電源からの電力を受け、時間を計測する計測手段、
をさらに有し、
前記計測手段は、前記制御手段により前記電源を切断するように前記切替器を制御した場合に計測を開始し、
前記判定手段は、前記計測手段の計測結果に基づいて、前記電源を切断するように前記切替器を制御した時から予め定められた時間が経過した場合、異常と判定する請求項１記載の電気装置。
【請求項３】
前記制御手段は、前記判定手段が異常と判定した場合、前記電源を切断するようにする制御を解除する請求項１又は２記載の電気装置。
【請求項４】
前記判定手段の判定結果を表示する表示手段、
をさらに有する請求項１乃至３いずれか記載の電気装置。
【請求項５】
前記切替器は、機械的な動作により前記電源との接続・切断を切り換える請求項１乃至４いずれか記載の電気装置。
【請求項６】
電源との接続・切断を切り換える切替器と、
前記電源からの電力を受け、前記切替器の接続・切断を制御する制御手段と、
前記制御手段により前記電源を切断するように前記切替器を制御した時から予め定められた時間が経過した場合、異常と判定する判定手段と、
前記電源からの電力を受け、記録媒体に画像を形成する画像形成手段と、
を有する画像形成装置。
【請求項７】
前記制御手段は、前記画像形成手段の待機時間が予め定められた時間を経過した場合、前記電源を切断するように前記切替器を制御する請求項６記載の画像形成装置。
【請求項８】
電源との接続・切断の切り換えを制御するステップと、
電源を切断するように制御した時から予め定められた時間が経過した場合、異常と判定するステップと、
をコンピュータに実行させるためのプログラム。
【発明の詳細な説明】
【技術分野】
【０００１】
本発明は、電気装置、画像形成装置、及びプログラムに関する。
【背景技術】
【０００２】
特許文献１は、所望のタイミングで自動的に電源をオフする自動電源オフ機能を有する複写装置であって、複写装置でトラブルが発生し、異常状態であることを判別する判別手段と、該判別手段によって異常状態であると判別されたとき、所望のタイミングを変更する制御手段とからなる複写装置を開示する。
【先行技術文献】
【特許文献】
【０００３】
【特許文献１】特開平０９−０９０８２２号公報
【発明の概要】
【発明が解決しようとする課題】
【０００４】
本発明の目的は、本構成を有しない場合と比較して、電源との切断が行われたことの監視負担を低減することができる電気装置、画像形成装置、及びプログラムを提供することである。
【課題を解決するための手段】
【０００５】
請求項１に係る本発明は、電源との接続・切断を切り換える切替器と、前記電源からの電力を受け、前記切替器の接続・切断を制御する制御手段と、前記制御手段により前記電源を切断するように前記切替器を制御した時から予め定められた時間が経過した場合、異常と判定する判定手段と、を有する電気装置である。
【０００６】
請求項２に係る本発明は、前記電源からの電力を受け、時間を計測する計測手段、をさらに有し、前記計測手段は、前記制御手段により前記電源を切断するように前記切替器を制御した場合に計測を開始し、前記判定手段は、前記計測手段の計測結果に基づいて、前記電源を切断するように前記切替器を制御した時から予め定められた時間が経過した場合、異常と判定する請求項１記載の電気装置である。
【０００７】
請求項３に係る本発明は、前記制御手段は、前記判定手段が異常と判定した場合、前記電源を切断するようにする制御を解除する請求項１又は２記載の電気装置である。
【０００８】
請求項４に係る本発明は、前記判定手段の判定結果を表示する表示手段、をさらに有する請求項１乃至３いずれか記載の電気装置である。
【０００９】
請求項５に係る本発明は、前記切替器は、機械的な動作により前記電源との接続・切断を切り換える請求項１乃至４いずれか記載の電気装置である。
【００１０】
請求項６に係る本発明は、電源との接続・切断を切り換える切替器と、前記電源からの電力を受け、前記切替器の接続・切断を制御する制御手段と、前記制御手段により前記電源を切断するように前記切替器を制御した時から予め定められた時間が経過した場合、異常と判定する判定手段と、前記電源からの電力を受け、記録媒体に画像を形成する画像形成手段と、を有する画像形成装置である。
【００１１】
請求項７に係る本発明は、前記制御手段は、前記画像形成手段の待機時間が予め定められた時間を経過した場合、前記電源を切断するように前記切替器を制御する請求項６記載の画像形成装置である。
【００１２】
請求項８に係る本発明は、電源との接続・切断の切り換えを制御するステップと、
電源を切断するように制御した時から予め定められた時間が経過した場合、異常と判定するステップと、をコンピュータに実行させるためのプログラムである。
【発明の効果】
【００１３】
請求項１に係る本発明によれば、本構成を有しない場合と比較して、電源との切断が行われたことの監視負担を低減することができる電気装置を提供できる。
【００１４】
請求項２に係る本発明によれば、本構成を有しない場合と比較して、構成を簡略化することができる。
【００１５】
請求項３に係る本発明によれば、請求項１又は２に係る本発明の効果に加えて、異常時における不要な通電を抑制することができる。
【００１６】
請求項４に係る本発明によれば、請求項１乃至３いずれかに係る本発明の効果に加えて、電源との切断に関する状態を操作者等に提供することができる。
【００１７】
請求項５に係る本発明によれば、請求項１乃至４いずれかに係る本発明の効果に加えて、本構成を有さない場合と比較して、電源との接続・切断の確実性を向上することができる。
【００１８】
請求項６に係る本発明によれば、本構成を有しない場合と比較して、電源との切断が行われたことの監視負担を低減することができる画像形成装置を提供できる。
【００１９】
請求項７に係る本発明によれば、請求項６に係る本発明の効果に加えて、待機時間が長期化するのを抑制することができる。
【００２０】
請求項８に係る本発明によれば、本構成を有しない場合と比較して、電源との切断が行われたことの監視負担を低減することができるプログラムを提供できる。
【図面の簡単な説明】
【００２１】
【図１】本発明の一実施形態が適用される画像形成装置の全体概略図である。
【図２】本発明の一実施形態が適用される画像形成装置のハードウエア構成を示す図である。
【図３】本発明の一実施形態が適用される電気装置の回路の概略図である。
【図４】本発明の一実施形態が適用される制御部による切替器の制御動作のフローチャートである。
【発明を実施するための形態】
【００２２】
本発明の実施形態について図面を参照して説明する。
図１は、本発明の一実施形態に係る画像形成装置１０の全体概略図を示す。
【００２３】
画像形成装置１０は、記録媒体に画像を形成する画像形成部１２と、画像の形成された記録媒体（以下、「原稿」と称する）の画像を読み取る画像読取装置１４と、電気装置１６とを備える。画像形成装置１０は電気装置１６を介して電源１８に接続されており、この電気装置１６は画像形成装置１０（より具体的には、画像形成部１２等の画像形成装置の構成部）と電源１８との接続・切断を制御する。
【００２４】
画像形成部１２は、例えば電子写真方式により構成される。
画像形成部１２は、例えば感光体ドラムからなる像保持体２２と、この像保持体２２を一様に帯電する帯電器２４と、この帯電器２４により一様に帯電された像保持体２２に潜像を形成する露光装置２６と、この露光装置２６により形成された像保持体２２上の潜像をトナーで可視化する現像装置２８と、この現像装置２８により形成されたトナー像を中間転写ベルト３０に転写する一次転写装置３２と、像保持体２２に残ったトナーをクリーニングする像保持体クリーナ３４とを備える。
中間転写ベルト３０は中間転写体として用いられる。中間転写ベルト３０には、この中間転写ベルト３０をクリーニングする中間転写ベルトクリーナ３６が設けられている。
【００２５】
露光装置２６は、例えばレーザ走査方式のものであり、画像読取装置１４が読み取った原稿の画像情報等に基づいて、これをレーザのオン・オフ信号に変換して出力する。
現像装置２８は、例えばロータリ式のものであり、Ｙ（イエロー）、Ｍ（マゼンタ）、Ｃ（シアン）、Ｋ（ブラック）これら4色の現像器４２Ｙ、４２Ｍ、４２Ｃ、４２Ｋが周囲に配設されている。現像装置２８は各色を現像する場合、対応する色の現像器４２Ｙ、４２Ｍ、４２Ｃ、４２Ｋが像保持体２２に対峙するよう回転する。
一次転写装置３２は、例えばコロトロンであり、像保持体２２上に形成されたトナー像を中間転写ベルト３０に転写する。
【００２６】
画像形成部１２は、中間転写ベルト３０に転写されたトナー像を記録媒体に転写する二次転写装置４４と、記録媒体に転写されたトナー像をこの記録媒体に定着する定着装置４６と、トナー像が定着された（画像が形成された）記録媒体が排出される排出部４８とを備える。
【００２７】
また、画像形成部１２は、記録媒体を積層した状態で収納する記録媒体収容器５０と、この記録媒体収容器５０から二次転写装置４４、定着装置４６を介して排出部４８に向けて記録媒体を搬送する搬送路５２とを備える。
搬送路５２には、レジストロール５４が配設されている。レジストロール５４は停止した状態から所定のタイミングで回転を開始し、中間転写ベルト３０にトナー像が転写されるタイミングに合致するように、記録媒体収容器５０から供給された記録媒体をこの中間転写ベルト３０と二次転写装置４４との接触部に供給する。
【００２８】
搬送路５２を搬送される記録媒体は、二次転写装置４４により中間転写ベルト３０のトナー像が転写され、定着装置４６によりこのトナー像が定着され、そして排出部４８に排出されるようになっている。中間転写ベルト３０に残存したトナーは、中間転写ベルトクリーナ３６により掻き落とされる。
【００２９】
画像読取装置１４は、画像読取部７０と、原稿を自動で搬送する原稿搬送部７２と、プラテン部材７４とを備える。プラテン部材７４は、光を透過する材質（例えばガラス等）により構成される。画像読取装置１４は、原稿搬送部７２により搬送される原稿を流し読みする機能と、プラテン部材７４上に載置された原稿を読み取る機能とを備えている。
プラテン部材７４上に載置された原稿の載置された側（下方側）の面が、被読取面となる。
【００３０】
また、画像形成装置１０は、操作者との間で情報の授受を行うユーザインタフェース（UI）装置８０を備える。UI装置８０は、例えばタッチパネルや液晶ディスプレイ（表示部）、キーボート等を含み、画像形成装置１０の処理内容の選択の受付や状態表示等を行う。
なお、UI装置８０は電気装置１６と一体に構成するようにしてもよいし、電気装置１６に表示部を設けるようにしてもよい。
【００３１】
次に、画像形成装置１０のハードウエア構成について説明する。
図２は、画像形成装置１０のハードウエア構成を示す。
【００３２】
画像形成装置１０は、CPU１００と、計測手段として用いられるタイマー１０２と、メモリ１０４と、ハードディスク（HDD）等の記憶装置１０６と、UI装置８０と、画像形成部１２と、画像読取装置１４とを備える。
これらの構成要素は、制御バス１１０を介して互いに接続されている。
【００３３】
CPU１００は、メモリ１０４又は記憶装置１０６に格納された制御プログラムに基づいて所定の処理を実行し、画像形成装置１０の動作を制御する。なお、制御プログラムは、CD-ROM等の記憶媒体に格納してCPU１００に提供するようにしてもよい。
【００３４】
次に、電気装置１６の詳細について説明する。
図３は、電気装置１６の回路の概略図を示す。
【００３５】
電気装置１６は、画像形成装置１０と電源１８との接続・切断を切り換える切替器（スイッチ）１２０と、電源１８からの電力を受けこの切替器１２０の接続・切断を制御する制御部１２２とを備える。
【００３６】
切替器１２０は、本実施形態においては、機械的な動作により画像形成装置１０と電源１８との接続・切断を切り替えるように構成されている。切替器１２０は例えばシーソー方式のものであり、画像形成装置１０及び電源１８これらを電気的に接続する位置と切断する位置とに部材を移動する構成になっている。切替器１２０は、制御部１２２による制御に加え、操作者等によって手動で接続・切断を操作されるようになっている。
電源１８と切断されている状態においては、画像形成装置１０（より具体的には、CPU１００等の画像形成装置１０の構成部）はこの電力１８から電力を受けていない状態にあり、画像形成装置１０は待機モードやスタンバイモード等よりも消費電力が少ない状態となる。
【００３７】
制御部１２２は、本実施形態においては、制御回路１２４とCPU１００とにより構成される。制御回路１２４は、CPU１００からの駆動信号Ｓがベースに印加されるトランジスタ１３２と、このトランジスタ１３２のコレクタに一端が接続され他端が接地されたソレノイド１３４と、トランジスタ１３２のコレクタとグランド（接地）との間に設けられ逆流を防止するダイオード１３６と、CPU１００の出力端子とトランジスタ１３２のベースとの間に設けられた抵抗器１３８と、トランジスタ１３２のエミッタとベースとの間に設けられた抵抗器１４０とを備える。
【００３８】
トランジスタ１３２はCPU１００の駆動信号Ｓによりオン／オフ制御され、このトランジスタ１３２のオン／オフに伴って、ソレノイド１３４は通電状態と遮断状態とに切り替わるように構成されている。ソレノイド１３４が通電状態になることで、切替器１２０は画像形成装置１０と電源１８とを切断するようになっている。
このように、制御部１２２が電源１８を切断する（電源を切る）ように切替器１２０を制御（以下、「電源切断制御」と称する場合がある）することにより、画像形成装置１０の電源が切れることとなる。
【００３９】
電源１８を切断するように切替器１２０を制御した時から予め定められた時間が経過した場合、「異常」と判定される。「異常」と判定された場合、制御部１２２はその判定結果をUI装置８０に表示させる。ここで「異常」とは、電源１８が切断されていない状態を示す。
なお、本実施形態においてはCPU１００が、「異常」か否かを判定する判定部として機能するようになっている。
【００４０】
具体的には、本実施形態において制御部１２２は、電源１８を切断するように制御する場合に、タイマー１０２を駆動させるようになっている。制御部１２２は、タイマー１０２が予め定められた時間を計測した場合（例えば5秒）に、電源１８が切断されていない（異常）と判定する。そして、制御部１２２は、電源１８が切断されていない旨を、UI装置８０に表示させる。
【００４１】
また、制御部１２２は、画像形成装置１０の待機時間が予め定められた時間を経過した場合に、電源１８を切断するように切替器１２０を制御するようになっている。「待機時間」とは、画像形成装置１０が動作していない時間を示し、例えば、画像形成装置１０への入力やこの入力に基づく動作を完了してからの時間等を示す。
【００４２】
タイマー１０２は電源１８からの電力を受け動作するものであるため、電源１８が切断されている場合、このタイマー１０２は動作しない（あるいは、電源１８を切断するまでの時間のずれ（タイムラグ）に対応する程度の時間だけ動作する）。このため、制御部１２２による電源切断制御が適切に実行されて電源１８が切断される場合、この電源１８からの電力を受けて動作するタイマー１０２は、予め定められた時間を計測しない（予め定められた時間を計測する前に停止する）。
【００４３】
一方で、制御部１２２による電源切断制御が適切に実行されず、電源１８が切断されない場合も想定される。例えば、ソレノイド１３４への通電の不具合や切替器１２０の機械的な動作への障害等によりこの切替器１２０が正常に動作しない等して、電源切断制御にも関わらず電源１８との切断が適切に行われない場合がある。この場合、電源１８は接続された状態を維持するため、タイマー１０２は電源１８から電力を受けて継続的に動作する。このため、タイマー１０２は予め定められた時間を計測することとなる。
【００４４】
また、制御部１２２は、「異常」と判定された場合、電源１８を切断するようにする制御を解除するようになっている。このため、制御部１２２による電源切断制御が適切に実行されない場合に、電源１８が接続された状態が維持されるのに伴って制御回路１２４に電流が流れ続ける状況となることが防止される。
【００４５】
次に、制御部１２２による切替器１２０の制御動作について説明する。
図４は、制御部１２２による切替器１２０の制御動作（Ｓ１０）のフローチャートを示す。
【００４６】
ステップ１０２（Ｓ１０２）において、制御部１２２は、画像形成装置１０の待機時間が経過したか否かを判定する。画像形成装置１０の待機時間が経過するまで待機し、待機時間が経過した場合、ステップ１０４（Ｓ１０４）の処理に進む。
【００４７】
ステップ１０４（Ｓ１０４）において、制御部１２２は、電源１８を切断するように切替器１２０を制御する。
【００４８】
ステップ１０６（Ｓ１０６）において、制御部１２２は、タイマー１０２を駆動させる。
【００４９】
ステップ１０８（Ｓ１０８）において、制御部１２２は、電源１８を切断するように切替器１２０を制御した時から所定時間が経過したか否かを判定する。所定時間が経過するまで待機し、所定時間経過した場合にステップ１１０（Ｓ１１０）の処理に進む。
一方、この所定時間が経過しない場合、すなわちタイマー１０２が動作しない場合やタイマー１０２が予め定められた時間を計測する前にその動作が停止した場合は、電源１８との切断が実行されたとして制御動作（Ｓ１０）は正常に終了する。
【００５０】
ステップ１１０（Ｓ１１０）において、「異常」であると判定する。
【００５１】
ステップ１１２（Ｓ１１２）において、制御部１２２は、電源切断制御を解除する。
【００５２】
ステップ１１４（Ｓ１１４）において、制御部１２２は、電源１８が切断されておらず異常な状態にある旨の判定結果をUI装置８０に表示させる。
【００５３】
上記実施形態においては、制御部１２２は、電源１８を切断するように制御するともにタイマー１０２を駆動させる構成について説明したが、これに限らず、電源１８を切断する制御以前からタイマー１０２により時間を計測しておいてもよい。
【符号の説明】
【００５４】
１０    画像形成装置
１２    画像形成部
１４    画像読取装置
１６    電気装置
１８    電源
２２    像保持体
３０    中間転写ベルト
４４    二次転写装置
７０    画像読取部
７２    原稿搬送部
８０    UI装置
１０２    タイマー
１２０    切替器
１２２    制御部
１２４    制御回路
１３４    ソレノイド
【図１】
2013238685.tif 000003
【図２】
2013238685.tif 000004
【図３】
2013238685.tif 000005
【図４】
2013238685.tif 000006